(57)【要約】【課題】記録再生フォーマットが異なる撮像装置のいずれかを外部の記録媒体に接続してコンテンツを再生する際、それぞれの撮像装置の記録再生フォーマットが異なる場合でも互換を保ってコンテンツを再生する撮像装置、画像保存方法及びプログラムを提供する。【解決手段】外部の記録媒体に構築されている動画像記録再生フォーマットに関するフォルダ構造を確認するフォルダ確認部１１４と、保存先の記録媒体に構築されているフォルダ構造に対応する動画像記録再生フォーマットを有する動画像データに元の動画像データを変換するファイル変換部１１６とを備える。【選択図】図２
2012004986.tif 000002
【特許請求の範囲】
【請求項１】
外部の記録媒体に構築されている動画像記録再生フォーマットに関するフォルダ構造を確認するフォルダ確認部と、
前記保存先の記録媒体に構築されている前記フォルダ構造に対応する動画像記録再生フォーマットを有する動画像データに元の動画像データを変換するファイル変換部と、
を備える、撮像装置。
【請求項２】
前記元の動画像データの動画像記録再生フォーマットが、前記保存先の記録媒体に構築されている前記フォルダ構造に対応する動画像記録再生フォーマットと一致しないとき、前記ファイル変換部が前記元の動画像データを変換する、請求項１に記載の撮像装置。
【請求項３】
前記ファイル変換部は、変換によって生成した前記保存先の記録媒体に構築されている前記フォルダ構造に対応する動画像記録再生フォーマットを有する動画像データを前記外部記録媒体に送る、請求項１又は２に記載の撮像装置。
【請求項４】
ユーザの入力を受け付け、前記ファイル変換部を操作する操作信号を生成する入力受付部を備え、
前記入力受付部は、前記元の動画像データの動画像記録再生フォーマットが、前記保存先の記録媒体に構築されている前記フォルダ構造に対応する動画像記録再生フォーマットと一致しないとき、前記ファイル変換部が前記元の動画像データを自動的に変換するモード、又は前記元の動画像データを変換しないか前記元の動画像データを変換するかをユーザが選択するモードのいずれかを受け付ける、請求項１〜３のいずれか１項に記載の撮像装置。
【請求項５】
外部の記録媒体に構築されている動画像記録再生フォーマットに関するフォルダ構造を確認するステップと、
前記保存先の記録媒体に構築されている前記フォルダ構造に対応する動画像記録再生フォーマットを有する動画像データに元の動画像データを変換するステップと、
を備える、画像保存方法。
【請求項６】
外部の記録媒体に構築されている動画像記録再生フォーマットに関するフォルダ構造を確認する手段、
前記保存先の記録媒体に構築されている前記フォルダ構造に対応する動画像記録再生フォーマットを有する動画像データに元の動画像データを変換する手段
としてコンピュータを機能させるためのプログラム。
【発明の詳細な説明】
【技術分野】
【０００１】
本発明は、撮像装置、画像保存方法及びプログラムに関する。
【背景技術】
【０００２】
デジタルビデオカメラとデジタルスチルカメラの動画像記録再生フォーマットは、記録再生可能なフォーマットがそれぞれ異なる場合がある。例えば、ビデオカメラはＡＶＣＨＤフォーマットのみに対応し、デジタルスチルカメラはＭＰ４フォーマットのみに対応している場合があり、両機器の記録再生可能なフォーマットがそれぞれ異なる場合がある。
【０００３】
この場合、例えばデジタルビデオカメラからＰＣ等を使用しないで保存用の外付けメディアへ動画像データをバックアップとして直接保存し、その後、その外付けメディアをデジタルビデオカメラではなくデジタルスチルカメラに接続したとする。このときは、フォーマットが異なるため、デジタルビデオカメラから保存した動画像データを、デジタルスチルカメラで再生することができない。
【０００４】
また、逆に、デジタルスチルカメラからＰＣ等を使用しないで直接保存用の外付けメディアへ動画像データをバックアップとして直接保存し、その後、その外付けメディアをデジタルスチルカメラではなくデジタルビデオカメラに接続したとする。このときも、やはりフォーマットが異なるため、デジタルスチルカメラから保存した動画像データを、デジタルビデオカメラで再生することができない。
【先行技術文献】
【特許文献】
【０００５】
【特許文献１】特開２００３−３００９９号公報
【特許文献２】特開２００２−３４２２１８号公報
【発明の概要】
【発明が解決しようとする課題】
【０００６】
以上のような制約から、ユーザは、外付けメディアに記録されたコンテンツを再生する際に、記録されたコンテンツのフォーマットに応じて、再生機器、ここではデジタルビデオカメラ及びデジタルスチルカメラをいちいち切り換える必要があり、面倒な手間を踏む必要がある。
【０００７】
また、コピー先へ別のフォーマットへ変換する技術として、例えば特許文献１がある。特許文献１の技術は、複数種類の端末機器にデジタルデータのフォーマットを変換して送信するコンテンツ変換送信装置に関するものである。しかし、この方法では、ユーザが、コピー先データに関する複数の詳細なパラメータを、一度は入力装置から入力する必要がある。そのため、ユーザはコピー先のデータの詳細な仕様を予め調べて知っておく必要があり、また、入力装置への入力という、面倒な手間を踏む必要があった。更に、特許文献２では、ネットワークを介して接続されるサーバとクライアント端末からなる発明であり、必要な構成要素が多いという問題がある。
【０００８】
そこで、本発明は、上記問題に鑑みてなされたものであり、本発明の目的とするところは、記録再生フォーマットが異なる撮像装置のいずれかを外部の記録媒体に接続してコンテンツを再生する際、それぞれの撮像装置の記録再生フォーマットが異なる場合でも互換を保ってコンテンツを再生することが可能な、新規かつ改良された撮像装置、画像保存方法及びプログラムを提供することにある。
【課題を解決するための手段】
【０００９】
上記課題を解決するために、本発明のある観点によれば、外部の記録媒体に構築されている動画像記録再生フォーマットに関するフォルダ構造を確認するフォルダ確認部と、保存先の記録媒体に構築されているフォルダ構造に対応する動画像記録再生フォーマットを有する動画像データに元の動画像データを変換するファイル変換部とを備える撮像装置が提供される。
【００１０】
上記元の動画像データの動画像記録再生フォーマットが、保存先の記録媒体に構築されているフォルダ構造に対応する動画像記録再生フォーマットと一致しないとき、ファイル変換部が元の動画像データを変換してもよい。
【００１１】
上記ファイル変換部は、変換によって生成した保存先の記録媒体に構築されているフォルダ構造に対応する動画像記録再生フォーマットを有する動画像データを外部記録媒体に送ってもよい。
【００１２】
ユーザの入力を受け付け、ファイル変換部を操作する操作信号を生成する入力受付部を備え、入力受付部は、元の動画像データの動画像記録再生フォーマットが、保存先の記録媒体に構築されているフォルダ構造に対応する動画像記録再生フォーマットと一致しないとき、ファイル変換部が元の動画像データを自動的に変換するモード、又は元の動画像データを変換しないか元の動画像データを変換するかをユーザが選択するモードのいずれかを受け付けてもよい。
【００１３】
また、上記課題を解決するために、本発明の別の観点によれば、外部の記録媒体に構築されている動画像記録再生フォーマットに関するフォルダ構造を確認するステップと、保存先の記録媒体に構築されているフォルダ構造に対応する動画像記録再生フォーマットを有する動画像データに元の動画像データを変換するステップとを備える撮像方法が提供される。
【００１４】
また、上記課題を解決するために、本発明の別の観点によれば、外部の記録媒体に構築されている動画像記録再生フォーマットに関するフォルダ構造を確認する手段、保存先の記録媒体に構築されているフォルダ構造に対応する動画像記録再生フォーマットを有する動画像データに元の動画像データを変換する手段としてコンピュータを機能させるためのプログラムが提供される。
【発明の効果】
【００１５】
以上説明したように本発明によれば、記録再生フォーマットが異なる撮像装置のいずれかを外部の記録媒体に接続してコンテンツを再生する際、それぞれの撮像装置の記録再生フォーマットが異なる場合でも互換を保ってコンテンツを再生できる。
【図面の簡単な説明】
【００１６】
【図１】本発明の一実施形態に係るシステムの全体概要を示す説明図である。
【図２】同実施形態に係るデジタルビデオカメラ１００を示すブロック図である。
【図３】ＡＶＣＨＤフォーマット、ＭＰ４フォーマットのフォルダ構造を示す説明図である。
【図４】ＭＰ４動画（ＡＶＣ＠ＭＰ４）も追加でダビングする場合のフローチャートである。
【図５】ＡＶＣＨＤ動画も追加でダビングする場合のフローチャートである。
【図６】ユーザの意思を確認してＭＰ４動画を追加でダビングする場合のフローチャートである。
【図７】ＵＩ表示例を示す説明図である。
【図８】ＭＰ４動画（ＭＰＥＧ４＠ＭＰ４）も追加でダビングする場合のフローチャートである。
【発明を実施するための形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
なお、説明は以下の順序で行うものとする。
１．一実施形態の構成
２．一実施形態の動作
【００１９】
＜１．一実施形態の構成＞
【００２０】
本発明の一実施形態に係るデジタルビデオカメラ１００について説明する。
図１は本実施形態の概要を表す。図１に示すように、ユーザはデジタルスチルカメラ２００を１台と、デジタルビデオカメラ１００を１台の両機器と、記録コンテンツの保存用に外付け大容量ＨＤＤ（ハードディスクドライブ）２０を１台所有している場合がある。
【００２１】
そして、デジタルスチルカメラ２００又はデジタルビデオカメラ１００がホストとなり、ＨＤＤ２０がクライアントとなって、ＰＣ等を使用せずに、デジタルスチルカメラ２００又はデジタルビデオカメラ１００にＨＤＤ２０が直接接続することが可能であるとき（例えばＵＳＢホストダビング）がある。
【００２２】
このとき、本実施形態によれば、ユーザが、コンテンツを再生する際に、保存用ＨＤＤ２０へのケーブルのつなぎ換えをするという面倒な操作を省くことができる。すなわち、デジタルスチルカメラ２００で記録されたコンテンツもデジタルビデオカメラ１００でも再生でき、デジタルビデオカメラ１００で記録されたコンテンツをデジタルスチルカメラ２００でも再生できる。
【００２３】
デジタルスチルカメラ２００、デジタルビデオカメラ１００は、例えば動画像コンテンツの記録再生フォーマットが異なる場合があるため、従来技術によって、保存用ＨＤＤに単純にダビングした場合、本実施形態のような互換を保った再生を実現することはできず、自装置で記録したコンテンツのみしか再生できない。
【００２４】
一方、本実施形態では、保存用ＨＤＤ２０等のメディアへダビングを行う際、ダビング元機器の記録再生フォーマットに対応したコンテンツだけではなく、別のダビング元機器の記録再生フォーマットにも対応させたコンテンツを作成し、併せてダビングを実行する。その結果、本実施形態は、デジタルスチルカメラ２００とデジタルビデオカメラ１００のいずれかを保存用ＨＤＤ２０に接続してコンテンツを再生する際、デジタルスチルカメラ２００とデジタルビデオカメラ１００の記録時の記録再生フォーマットが異なる場合でも互換を保った再生ができる。
【００２５】
本実施形態のデジタルビデオカメラ１００は、図２に示すように、例えば光学系１０２、撮像部１０４、表示部１０６、制御部１１０、メモリ１２２、操作部１２４、記録媒体（内蔵）１２６、通信部１２８などからなる。本明細書では、デジタルビデオカメラ１００の構成について説明するが、デジタルスチルカメラ２００についても動画像の記録再生が可能であり、デジタルビデオカメラ１００と同一の同様の構成を有する。なお、デジタルスチルカメラ２００とデジタルビデオカメラ１００による記録再生フォーマットは、それぞれ異なるものとする。
【００２６】
光学系１０２は撮影レンズ、絞りやシャッタなどの露光量制御部材である。撮像部１０４は、光学像を電気信号に変換するＣＣＤなどの撮像素子、撮像素子のアナログ信号出力をデジタル信号に変換するＡ／Ｄ変換器などである。
【００２７】
表示部１０６は、ディスプレイ装置であり、画像データに基づいて画像を画面に表示する。なお、画像データに基づく画像は、デジタルビデオカメラ１００に接続した表示装置１０に表示するようにしてもよい。
【００２８】
制御部１１０は、演算処理回路、画像処理回路などからなる。画像処理回路は、Ａ／Ｄ変換器からのデータに対して所定の画素補間処理や色変換処理を行う。また、画像処理回路は、画像データに基づき露光量制御及び測距制御のための演算処理などを行う。制御部１１０は、記録処理部１１２、フォルダ確認部１１４、ファイル変換部１１６等を有する。
【００２９】
記録処理部１１２は、画像データを圧縮処理したり伸長処理したりする。フォルダ確認部１１４は、デジタルビデオカメラ１００に接続された保存用ＨＤＤ２０に構築されている動画像記録再生フォーマットに関するフォルダ構造を確認する。
【００３０】
ファイル変換部１１６は、デジタルビデオカメラ１００が生成する元の動画像データを、保存用ＨＤＤ２０に構築されているフォルダ構造に対応する動画像記録再生フォーマットを有する動画像データに変換する。ファイル変換部１１６は、元の動画像データの動画像記録再生フォーマットが、保存用ＨＤＤ２０に構築されているフォルダ構造に対応する動画像記録再生フォーマットと一致しないとき、元の動画像データを変換する。また、ファイル変換部１１６は、変換によって生成した保存用ＨＤＤ２０に構築されているフォルダ構造に対応する動画像記録再生フォーマットを有する動画像データを保存用ＨＤＤ２０に送る。
【００３１】
メモリ１２２は、撮影した動画像データを格納するためのメモリであり、所定時間の動画像を処理するために一時的に格納するのに十分な記憶量を備えている。また、メモリ１２２は、制御部１１０の作業領域としても使用することが可能である。メモリ１２２は、画像データを格納し、格納された画像データが読み出されて圧縮処理又は伸長処理が行われ、処理を終えたデータがメモリ１２２に書き込まれる。
【００３２】
操作部１２４は、例えばモードスイッチであり、電源オフ、撮影記録モード、再生モード及び通信モード等の各機能モードを切り替え設定することができる。操作部１２４は、ユーザの入力を受け付け、ファイル変換部１１６を操作する操作信号を生成する入力受付部の一例である。操作部１２４は、元の動画像データの動画像記録再生フォーマットが、保存用ＨＤＤ２０に構築されているフォルダ構造に対応する動画像記録再生フォーマットと一致しないとき、ファイル変換部１１６が元の動画像データを自動的に変換するモード、又は元の動画像データを変換しないか元の動画像データを変換するかをユーザが選択するモードのいずれかを受け付ける。
【００３３】
記録媒体（内蔵）１２６は、撮像して生成した画像データを保存するデジタルビデオカメラ１００内に設けられたメディアである。通信部１２８はインターフェースであり、ＨＤＤ２０と接続して、画像データの送受信をする。
【００３４】
図３は、ＡＶＣＨＤフォーマット、及び、ＭＰ４動画フォーマットのフォルダ構造を示す。例えば図２に示すデジタルビデオカメラ１００は、図２の通信部１２８を通じて、外付けの保存用ＨＤＤ２０とＵＳＢケーブルにより接続することで、制御部１１０により、保存用ＨＤＤ２０のフォルダ構造を認識することができる。このとき、保存用ＨＤＤ２０に既にダビングされたコンテンツが存在する場合は、例えば図３に示すようなフォルダ構造となっている場合がある。図３の上側はＡＶＣＨＤフォーマットのフォルダ構造であり、図３の下側はＭＰ４動画フォーマットのフォルダ構造である。
【００３５】
＜２．一実施形態の動作＞
（実施例１）
次に図４を用いて、デジタルビデオカメラ１００が保存用ＨＤＤ２０にＡＶＣＨＤ動画コンテンツをダビングする場合に、併せてＡＶＣコーデックのＭＰ４動画コンテンツ（ＡＶＣ＠ＭＰ４）も作成して併せてダビングする場合のフローを説明する。ここで、デジタルビデオカメラ１００は、通常の記録時ではＡＶＣＨＤフォーマットによって動画像データを生成し、デジタルスチルカメラ２００は、通常の記録時ではＡＶＣコーデックのＭＰ４動画コンテンツを生成することを前提とする。
【００３６】
図４のフローにおける各処理は、主に制御部１１０により実現される。先ずＳ１０１で、保存用ＨＤＤ２０にＡＶＣＨＤ動画コンテンツ（オリジナル画像）のダビングを実行する。次にＳ１０２で、保存用ＨＤＤ２０のＲＯＯＴフォルダ直下に「ＭＰ＿ＲＯＯＴ」という名前のフォルダが存在するか調べる。もし存在した場合はＳ１０３に進み、「ＸＸＸＡＮＶ０１」というフォルダが存在するか調べる。ここで「ＸＸＸ」は、「１００」から「９９９」までの３桁の整数を表す３つの文字列である。「ＸＸＸＡＮＶ０１」というフォルダが一つでも存在しているということは、以前、デジタルスチルカメラ２００によるＡＶＣコーデックのＭＰ４動画コンテンツが保存用ＨＤＤ２０に記録されたことがあることを示す。もし「ＸＸＸＡＮＶ０１」というフォルダが一つでも存在したらＳ１０４に進む。
【００３７】
Ｓ１０４では、ＡＶＣＨＤ動画コンテンツの実体ファイルである「．ＭＴＳ」ファイルからＴＳ（トランスポートストリーム）データを取り出し、ＥＳ（エレメンタリーストリーム）データに変換する。Ｓ１０５では、Ｓ１０４で変換したＥＳデータからＭＰ４ファイルを作成する。Ｓ１０６では、Ｓ１０５で得られたＭＰ４ファイルを「ＸＸＸＡＮＶ０１」フォルダ以下に記録する。
【００３８】
（実施例２）
次に図５を用いて、デジタルスチルカメラ２００が保存用ＨＤＤ２０にＭＰ４コンテンツをダビングする場合に、併せてＡＶＣＨＤ動画コンテンツも作成して併せてダビングする場合のフローを説明する。ここで、デジタルスチルカメラ２００は、通常の記録時ではＡＶＣコーデックのＭＰ４動画コンテンツを生成し、デジタルビデオカメラ１００は、通常の記録時ではＡＶＣＨＤフォーマットによって動画像データを生成することを前提とする。
【００３９】
図５のフローにおける各処理も、主にデジタルスチルカメラ２００の制御部１１０により実現される。先ずＳ１１１で、保存用ＨＤＤ２０にＭＰ４コンテンツ（オリジナル画像）のダビングを実行する。次にＳ１１２で、保存用ＨＤＤ２０のＲＯＯＴフォルダ直下に「ＡＶＣＨＤ」という名前のフォルダが存在するか調べる。「ＡＶＣＨＤ」という名前のフォルダが存在しているということは、以前、デジタルビデオカメラ１００によるＡＶＣＨＤ動画コンテンツが保存用ＨＤＤ２０に記録されたことがあることを示す。もし存在した場合はＳ１１３に進み、「ＢＤＭＶ」というフォルダが存在するか調べる。もし「ＢＤＭＶ」というフォルダが存在したらＳ１１４に進む。
【００４０】
Ｓ１１４では、ＭＰ４コンテンツの実体ファイルである「．ＭＰ４」ファイルからＥＳ（エレメンタリーストリーム）データを抽出する。Ｓ１１５では、Ｓ１１４で変換したＥＳデータからＡＶＣＨＤの記録に必要なファイル群（．ＭＴＳファイル、．ＣＰＩファイル、．ＭＰＬファイル等）を作成する。Ｓ１１６では、Ｓ１１５で得られたＡＶＣＨＤのファイル群を、ＡＶＣＨＤ規格に基づいて「ＢＤＭＶ」フォルダ以下のフォルダに記録する。
【００４１】
（実施例３）
図６は図４の場合の応用例のフローである。図４では、システムが保存用ＨＤＤ２０に自動で二つのフォーマットのコンテンツのダビングを実行する例であったが、ユーザによっては例えば、「記録容量を節約したい」などの要望により、ダビング元のオリジナルのコンテンツだけを保存用ＨＤＤ２０にダビングすることを望む場合も考えられる。このような場合は、変換画像の作成及びダビング実行前に、ユーザに対して両フォーマットのコンテンツのダビングを実行したいか否かを問い合わせ、もしユーザが「実行したい」という意思を示した場合のみ、変換画像の作成及びダビングを実行すればよい。
【００４２】
このときのフローは、Ｓ１２１〜Ｓ１２３として、図４に示したＳ１０１〜Ｓ１０３までと同じ動作を行い、その後、Ｓ１２４でＵＩ表示を行う。図７は、図６のＳ１２４のＵＩ表示の具体例である。すなわち、ユーザに対する問い合わせ画面であり、オリジナルファイルに加え、ＭＰ４動画に変換した動画も記録するか否かを問い合わせる。このとき、記憶容量がどの程度空いているかをユーザに示すため、保存用ＨＤＤ２０が何時間分空いているかを表示してもよい。
【００４３】
そして、Ｓ１２５でユーザの意思を確認する。ユーザが両フォーマットのコンテンツのダビングを実行したい場合は、Ｓ１２６〜Ｓ１２８として、図４に示したＳ１０４〜Ｓ１０８までと同じ動作を行う。
【００４４】
（実施例４）
図８は図４の場合の応用例のフローである。図４では、デジタルビデオカメラ１００がＡＶＣＨＤ動画コンテンツから、同じＡＶＣコーデックを用いた「ＡＶＣ＠ＭＰ４」のＭＰ４ファイルを作成して併せてダビングする際のフローであった。そのため、ＭＰ４ファイルを作成する際、ＡＶＣＨＤコンテンツのデコード及び再エンコードは不要であった。
【００４５】
ＭＰ４ファイルには、図３の最下部に示すように、コーデックがＡＶＣではなく、ＭＰＥＧ４を用いた「ＭＰＥＧ４＠ＭＰ４」のフォーマットも存在し、また、この動画フォーマットだけにしか対応していないデジタルスチルカメラなども存在する。このような機器が接続された場合のフローを図８に示す。
【００４６】
図８は図４とほぼ同様のフローになるが、Ｓ１３３，Ｓ１３４，Ｓ１３５，Ｓ１３６が異なる。Ｓ１３３では、「ＸＸＸＭＮＶ０１」というフォルダが存在するか調べる（ここで「ＸＸＸ」は、「１００」から「９９９」までの３桁の整数を表す３つの文字列である）。「ＸＸＸＭＮＶ０１」というフォルダが一つでも存在しているということは、以前、デジタルスチルカメラ２００によるＭＰＥＧ４コーデックのＭＰ４動画コンテンツが保存用ＨＤＤ２０に記録されたことがあることを示す。もし「ＸＸＸＭＮＶ０１」というフォルダが一つでも存在したらＳ１３４に進む。
【００４７】
Ｓ１３４では、図２の記録処理部１１２を用いて、ＡＶＣＨＤ動画コンテンツのデコードを行い、ベースバンド画像に伸張する。Ｓ１３５では、Ｓ１３４で伸張されたベースバンド画像に対し、図２の記録処理部１１２を用いて、ＭＰＥＧ４コーデックで再エンコードを行い、ＭＰ４ファイルを構築する。Ｓ１３６では、Ｓ１３５で得られたＭＰ４ファイルを「ＸＸＸＭＮＶ０１」フォルダ以下に記録する。
【００４８】
以上、本実施形態によれば、一つの画像を、複数の異なるフォーマットでダビングを行うため、メディアに接続された再生機器の再生対応フォーマットが異なった場合でも、ユーザは再生機器を接続し直すことなく、再生することが可能となる。すなわち、再生能力が乏しかった撮像装置でも、再生機能を増やさずにメディアに記録されたコンテンツを再生できる。また、ユーザが、保存先メディアの使用容量を抑えることを望む場合は、異なるフォーマットの複製画像を作らず、保存元のオリジナル画像のみをダビングすることも可能である。
【００４９】
具体的には、デジタルスチルカメラ又はデジタルビデオカメラがホストとなり、ＨＤＤがクライアントとなって、ＰＣ等を使用せずに、デジタルスチルカメラ又はデジタルビデオカメラにＨＤＤが直接接続することが可能であるとき（例えばＵＳＢホストダビング）、複数種類のデジタルスチルカメラ及びデジタルビデオカメラによってホストダビングされたコンテンツが一つの大容量ＨＤＤに混在することが予想される。
【００５０】
しかし、従来のＡＶＣＨＤフォーマットに対応していないデジタルスチルカメラでは、デジタルビデオカメラで撮影したＡＶＣＨＤコンテンツを再生できなかったが、本実施形態によればＡＶＣＨＤコンテンツを再生できる。また、従来、デジタルスチルカメラで撮影されたＭＰ４動画コンテンツはデジタルビデオカメラ側から再生できなかったが、本実施形態によればＭＰ４動画コンテンツを再生できる。そのため、ユーザは再生する動画フォーマット毎にメディアに対していちいち再生機器の接続をし直す必要がなくなる。
【００５１】
その結果、ユーザはＵＳＢ接続先のメディア内コンテンツを再生する際、デジタルスチルカメラによって撮影されたか、デジタルビデオカメラによって撮影されたかを意識することなく動画コンテンツを再生できる。
【００５２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００５３】
上記実施形態では、ＡＶＣＨＤフォーマット、ＭＰ４フォーマットの動画像データのみについて説明したが、本発明はこの例に限定されない。他のフォーマットの動画像データについても同様に本発明を適用できる。
【符号の説明】
【００５４】
１００    デジタルビデオカメラ
２００    デジタルスチルカメラ
１０２    光学系
１０４    撮像部
１０６    表示部
１１０    制御部
１１２    記録処理部
１１４    フォルダ確認部
１１６    ファイル変換部
１２２    メモリ
１２４    操作部
１２６    記録媒体（内蔵）
１２８    通信部
１０    表示装置
２０    ＨＤＤ
【図１】
2012004986.tif 000003
【図２】
2012004986.tif 000004
【図３】
2012004986.tif 000005
【図４】
2012004986.tif 000006
【図５】
2012004986.tif 000007
【図６】
2012004986.tif 000008
【図７】
2012004986.tif 000009
【図８】
2012004986.tif 000010